(57)【要約】【課題】当該清掃用機器の一部が当該把持部から脱落する事がなく、然も被介護患者に良好な感触を与えると共に、違和感や苦痛、ストレス等が感じる事が無い口腔ケア用清掃器具を提供する。【解決手段】、硬質材料からなる芯体部２と、当該芯体部２の外周表面を一体的に被覆している被覆層部３とからなり、当該芯体部２の長手方向端部４、一方の端部４、に位置する被覆層部３’は、その外径Ｔは、他の部位に於ける当該被覆層部３の外径ｔよりも大である膨出部６を形成しており、当該膨出部６の当該合成樹脂材料には発泡構造７が含まれている口腔ケア用清掃器具１である。【選択図】図１
2014042626.tif 000002
【特許請求の範囲】
【請求項１】
硬質材料で構成された所定の長さと所定の径を有する芯体部と、
当該芯体部の長手方向全体に亘って、当該芯体部の外周表面を一体的に連続して被覆している合成樹脂材料で構成された被覆層部とからなり、
且つ、当該芯体部の長手方向端部のすくなくとも一方の端部若しくは当該端部の近傍部に位置する当該被覆層部の外径は、当該芯体部のその他の部位に於ける当該被覆層部の外径よりも大である膨出部を形成しており、
更に、当該膨出部を構成する当該合成樹脂材料には発泡構造が含まれている事を特徴とする口腔ケア用清掃器具。
【請求項２】
芯体部を構成する硬質材料は、金属材料、合成樹脂材料、木材、セラミック材料から選択された一つの材料である特徴とする請求項１に記載の口腔ケア用清掃器具。
【請求項３】
当該芯体部の長手方向と直交する方向に於ける最大外径は、２乃至５ｍｍである特徴とする請求項１又は２に記載の口腔ケア用清掃器具。
【請求項４】
当該芯体部の長手方向と直交する方向に於ける断面形状は円形、多角形、楕円形、中空断面径等の何れかで構成されている特徴とする請求項１乃至３の何れかに記載の口腔ケア用清掃器具。
【請求項５】
当該芯体部の長手方向端部の少なくとも一方の端部若しくは当該端部の近傍部に形成されている当該被覆層部の当該膨出部の当該芯体部の長手方向と直交する方向に於ける最大外径は、５乃至２０ｍｍである事を特徴とする請求項１乃至４の何れかに記載の口腔ケア用清掃器具。
【請求項６】
当該芯体部の長手方向端部の少なくとも一方の端部若しくは当該端部の近傍部に形成されている当該膨出部の当該芯体部の長手方向と直交する方向に於ける断面形状は、その周縁部に複数個の膨出部、突起状部、溝状部等が形成されている構成を有する事を特徴とする請求項１乃至５の何れかに記載の口腔ケア用清掃器具。
【請求項７】
当該被覆層部の当該膨出部と当該被覆層部の当該非膨出部との境界部には、段差部が形成されているか、テーパー部が形成されている事を特徴とする請求項１乃至６の何れかに記載の口腔ケア用清掃器具。
【請求項８】
当該非膨出部を構成する当該被覆層部の合成樹脂材料にも発泡性材料が非発泡状態で含まれている事を特徴とする請求項７に記載の口腔ケア用清掃器具。
【請求項９】
当該膨出部を構成する当該被覆層部は、軟質性の発泡構造を有しており、当該非膨出部を構成する当該被覆層部は、当該膨出部を構成する当該被覆層部の発泡構造よりも硬質性有する発泡構造を有する合成樹脂材料で構成されている事を特徴とする請求項８に記載の口腔ケア用清掃器具。
【請求項１０】
当該被覆層部に於ける当該発泡構造は多孔性構造を有している事を特徴とする請求項１乃至９の何れかに記載の口腔ケア用清掃器具。
【発明の詳細な説明】
【技術分野】
【０００１】
本発明は、口腔ケア用清掃器具に関するものであり、特に詳しくは、特に障害を持つ患者で、口を自己の意思によって自由に開けられない患者の口腔内を洗浄し、口腔内を常に清潔保つ為に使用される口腔ケア用清掃器具に関するものである。
【背景技術】
【０００２】
従来から、各種の障害が原因で、介護を受けている患者の中には、手を動かせない被介護患者や、口を自己の意思では自由に開口させる事が出来ない被介護患者が多く見受けられており、当該被介護患者は、口腔内に残る、食べかすや、痰或いは唾液等による口腔内の汚れを取り除く為に、適宜介護人の助けを借りて、適宜のブラシ或いはその他の清掃器具を使用して当該口腔内の汚れを取り除く処理を行って貰っている。
又、口腔から食べ物を取り入れられず直接的に胃に流動物を流し込む様にしている所謂、胃瘻（いろう）患者であっても、痰、或いは唾液等による汚れが発生するものであり、同様の口腔ケア処理を必要としている。
【０００３】
何れの上記した様な被介護患者の中で、多少でも自己の意思或いは介護者の協力の下に、口を開口出来る被介護患者にあっては、適宜の歯ブラシ等を用いた口腔ケア用清掃用具を使用して、適量の水を供給しながら或いは清掃処理後に水を適量供給しながら、口腔内を清掃し、口腔内に残留した、食べかすや痰、或いは唾液等による汚れ物を取り除く様な操作を行い口腔ケアを実行する事が一般的に行われている。
この場合、例えば、特開２００３−３０５０６１号公報（特許文献１）等に記載されている様な、積極的に水を口腔内に供給しながら或いは、口腔内に残留している清掃処理後の汚染物を当該水と共に吸引排水する様に構成された口腔ケア用清掃具を使用することが可能であるが、係る口腔ケア用清掃具は、システムとしてかなり大型な装置となり、容易に被介護患者の近傍で簡便に然も容易に且つ迅速に当該口腔ケア処理を行う事は困難であり、コストもかなり高いものとなると言う問題が有った。
【０００４】
一方、自己の意思では自分の口を自由に開口させる事が出来ない被介護患者では、介護者が、当該被介護患者の歯の間隙から、或いは何らかのきっかけで、当該被介護患者がその口を開いた瞬間を利用して、その開口部から、例えば、布帛或いはフイルム等の合成樹脂材料からなる薄い膜状体からなる適宜の清掃部材を介護者の指に巻きつけて、当該被介護患者の口腔部内に挿入して、歯部や、舌部、歯ぐき部、及び当該口腔部内壁部表面を擦りながら清掃処理を行うか、細い棒状体の先端部にスポンジ様な、柔軟で、吸水性のある合成樹脂からなる発泡部材を取り付けた口腔ケア用清掃具を、当該介護者が当該口腔ケア用清掃具の当該細い棒部分を手に持って、当該被介護患者の歯間の間隙部を介して口腔部内に挿入して、当該被介護患者の歯部、舌部、歯ぐき部、及び当該口腔部内壁部表面等に当該発泡部材を接触させ、当該発泡部材を摺動させながら上記口腔ケア処理を行うものである。
【０００５】
上記した様な口腔ケア用清掃具としては、例えば、実開平５−５６１１５号公報（特許文献２）及び特開平１０−１５５８１６号公報（特許文献３）等に開示されている口腔ケア用清掃具を使用する事が可能である。
【０００６】
然しながら、前者の口腔ケア用清掃具に於いては、当該介護者が被介護患者の口腔ケア処理を行っている間に、当該口腔ケア用清掃具が、当該介護者の指先から脱落して、当該被介護患者の口腔内の残留し、それを回収出来ずにいると、当該口腔ケア用清掃具がのどに詰まったり、気管支に障害を与えると言う危険な状態が発生すると言う問題が存在している。
【０００７】
一方、後者の口腔ケア用清掃具として、上記特許文献２及び特許文献３で開示されている当該口腔ケア用清掃具を使用した場合では、は、介護者が手で持つ為の略直線状の形状を呈する細い外径を持った把持部と当該把持部の少なくとも一方の端部に、スポンジからなる柔軟性を持った清掃部とから構成されており、且つ、当該把持部は、主として紙が重複して巻き込まれた、中空状の紙管で構成され、且つ当該把持部と当該スポンジからなる清掃部とは、単に通常の接着材を介して固定されているに過ぎないものであるから、当該把持部が水を吸収して弱くなると、当該口腔内での清掃操作が困難となると同時に、当該清掃部と当該把持部との接合部分が破壊され、当該清掃部のみが当該被介護患者の口腔内に残ってしまい、それを取り出す操作もかなり困難を要する事から、前記したと同様の問題点が発生すると言う危険がある。
【０００８】
又、上記した口腔ケア用清掃器具の当該把持部は、水分の吸収を避けると同時に、所定の強度或いは弾性を持たせる事が要求されることから、金属材料や、合成樹脂材料で構成される事が多いが、当該材料を直接使用した場合には、当該把持部が直接歯や、舌部表面やその他の口腔内部の内壁面と接触することから、当該部分の表面が傷付いたり、被介護患者が違和感を感じる事が多く、当該被介護患者の精神的苦痛やストレスを解消する必要がある等の問題も存在している。
【０００９】
更に、当該特許文献２及び３に開示されている様な構成を有する当該口腔ケア用清掃器具は、原則として一回限りの使用に限定され、使用後は廃棄する様に規制されているが、それでも、単なる一回限りの使用中であっても、強度が弱く、耐水性に乏しいと言う問題も指摘されている。
【先行技術文献】
【特許文献】
【００１０】
【特許文献１】特開２００３−３０５０６１号公報
【特許文献２】実開平５−５６１１５号公報
【特許文献３】特開平１０−１５５８１６号公報
【発明の概要】
【発明が解決しようとする課題】
【００１１】
従って本発明の目的は、上記した従来技術の欠陥を改良し、障害を持った患者の口腔内の清掃操作を簡便に且つ長期間、低コストで実行する事が可能であり、且つ当該清掃操作を正確かつ効率的に実施する事が可能であると同時に、当該清掃用機器の一部が当該把持部から脱落する事がなく、然も被介護患者に良好な感触を与えると共に、違和感や苦痛、ストレス等が感じる事が無い口腔ケア用清掃器具を提供するものである。
【課題を解決するための手段】
【００１２】
本発明は、上記のような目的を達成するため、基本的には、以下に示す様な技術構成を採用するものである。
即ち、本発明に係る口腔ケア用清掃器具は、硬質材料で構成された所定の長さと所定の径を有する芯体部２と、当該芯体部２の長手方向全体に亘って、当該芯体部２の外周表面を一体的に連続して被覆している合成樹脂材料で構成された被覆層部３とからなり、且つ、当該芯体部２の長手方向端部４、４’の少なくとも一方の端部４、４、若しくは当該端部４、４の近傍部５に位置する当該被覆層部３’の外径Ｔは、当該芯体部２に於けるその他の部位に於ける当該被覆層部３の外径ｔよりも大である様に設定された膨出部６を形成しており、更に、当該膨出部６を構成する当該被覆層部３’の当該合成樹脂材料には発泡構造７が含まれている事を特徴とする口腔ケア用清掃器具１である。
【発明の効果】
【００１３】
本発明に係る当該口腔ケア用清掃器具は、上記した様な構成を採用することによって、障害を持った患者の口腔内の清掃操作を簡便に且つ長期間、低コストで実行する事が可能であり、且つ当該清掃操作を正確かつ効率的に実施する事が可能であると同時に、当該清掃用機器の一部が当該把持部から脱落する事がなく、然も被介護患者に良好な感触を与えると共に、違和感や苦痛、ストレス等が感じられる事が無い口腔ケア用清掃器具を提供するものである。
更に、本発明に於ける当該口腔ケア用清掃器具は、口腔内の汚染物を清掃・除去するばかりではなく、口腔内の内壁面あるいは表面に適宜の薬品を供給したり、塗布したり、更には当該口腔内に貯留した唾液や血液等を、口腔外へ排出させる機能も有すると言う効果がある。
【図面の簡単な説明】
【００１４】
【図１】図１は、本発明に係る口腔ケア用清掃器具の一具体例に於ける構成を示す断面図である。
【図２】図２は、本発明に係る口腔ケア用清掃器具に於ける膨出部６の形状の具体例を示す図である。
【図３】図３は、本発明に係る口腔ケア用清掃器具の一具体例に於ける構成を示す斜視図である。
【発明を実施するための形態】
【００１５】
以下に本発明に係る口腔ケア用清掃器具の一具体例の構成を、図面を参照しながら詳細に説明する。
【００１６】
即ち、図１及び図３は、本発明に於ける当該口腔ケア用清掃器具１の一具体例を示す図であって、図中、硬質材料で構成された所定の長さと所定の径を有する芯体部２と、当該芯体部２の長手方向全体に亘って、当該芯体部２の外周表面を一体的に連続して被覆している合成樹脂材料で構成された被覆層部３とからなり、且つ、当該芯体部２の長手方向端部４、４’の少なくとも一方の端部４、４、若しくは当該端部４、４の近傍部５に位置する当該被覆層部３’の外径Ｔは、当該芯体部２に於けるその他の部位に於ける当該被覆層部３の外径ｔよりも大である膨出部６を形成しており、更に、当該膨出部６を構成する当該被覆層部３’の当該合成樹脂材料には発泡構造７が含まれている事を特徴とする口腔ケア用清掃器具１が示されている。
【００１７】
即ち、本願発明に係る当該口腔ケア用清掃器具１に於いては、特に限定はされないが、全体の長さそし、長手方向に１０乃至２０ｃｍの長さを有しており、当該口腔ケア用清掃器具１の大部分は、作業者が当該口腔清掃作業を実行する為に、当該口腔ケア用清掃器具１を手で持つ為の把持部１０が形成されていると共に、当該把持部１０の一方の端部に、当該口腔ケア処理に使用される、当該把持部１０よりも外周方向に拡大された膨出部６が形成されたものである。
更に、本願発明に係る当該口腔ケア用清掃器具１に於いては、当該把持部１０は、その中心部に硬質材料からなる芯体部２が設けられ、当該芯体部２の外周部は、適宜の合成樹脂材料から構成された被覆層３によって完全に被覆されており、且つ当該被覆層３は、当該膨出部６と連続的に且つ一体的に形成されていると言う構成を有するものであり、これによって、当該把持部の耐水性を向上させると同時に、当該膨出部６が当該口腔清掃作業中に、当該把持部１０の先端部から離脱、脱落して、口腔内に取り残されると言う危険性を無くす事が可能となるのである。
【００１８】
本願発明に於ける、当該把持部１０の長さは、少なくとも１０ｃｍ程度は必要と考えられており、従って、当該芯体部２の長さは、少なくとも当該膨出部６の保持芯体部を兼ねる必要から、少なくとも１１乃至１５ｃｍ程度である事が望ましい。
即ち、本願発明に於いては、当該口腔ケア用清掃器具の基材部を形成する硬質材料で形成された芯体部２と当該芯体部２の外周表面を完全に被覆している被覆層部３とから構成されるものであり、且つ当該被覆層部３の一方の端部に口腔ケア用清掃作業を担う膨出部６が設けられており、然も、当該膨出部６は、当該被覆層部３の一部を形成しており、当該被覆層部３に於ける当該膨出部６と非膨出部とは、連続的に一体的に形成されていて、当該両者は分離不可能な状態に構成されているのである。
【００１９】
つまり、本願発明に於いては、従来の同種の口腔ケア用清掃器具の先端部に設けられているスポンジ等で形成された清掃部が、口腔内で、口腔ケア作業中に水、水分の影響或いは接着材の劣化、脆化等により当該把持部から剥がれたりして、口腔内の残存してしまったり、当該把持部が屈曲して作業の遂行が不可能になって、当該口腔ケア用清掃器具が取り出せなくなったり、或いは当該把持部の一部が切断されて、当該把持部の一部とその先端部にあるスポンジとが、口腔内に取り残されてしまうと言う問題を解決する事が目的で、先ず、当該口腔ケア用清掃器具１を作業者が手で持つ為の把持部１０の中心部を、耐水性と共に、適度の強度と弾力性を持った、硬質の材料で構成するものである。
【００２０】
本願発明に係る当該口腔ケア用清掃器具１に於ける当該芯体部２を構成する硬質材料は、金属材料、合成樹脂材料、木材、セラミック材料から選択された一つの材料である事が望ましく、更に好ましくは、耐水性を有するものであり、且つ当該硬質材料は、強度に優れると共に、ある程度の曲げ加工が可能で且つ適度の弾発性を有するものである事が望ましい。
本発明に使用される当該被覆層部３としての合成樹脂材料としては、特に限定されるものではないが、人体に有害性を持たない合成樹脂である事が必要であり、更には、被介護患者の口腔内を傷つけたり、歯等を損傷させない様な比較的柔軟性を持った合成樹脂材料を使用する事が望ましい。
例えば、ポリウレタン系合成樹脂、ポリエチレン系合成樹脂、ポリプロピレン系合成樹脂、ポリシリコン系合成樹脂等が使用可能である。
【００２１】
本発明に係る当該口腔ケア用清掃器具１の全体の構成の概要は、図１に示す断面図から明らかな通り、当該芯体部２は、所定の断面形状を有する直性状の形状を有するものであり、その直径、即ち、当該芯体部２の長手方向と直交する方向に於ける最大外径は、２乃至５ｍｍである事が望ましく、その長手方向の長さは、１０乃至２０ｃｍである事が好ましい。
又、当該芯体部２の断面形状は特に限定されるものではなく、円形、多角形、楕円形、中空断面径等の何れかで構成されているものであっても良いが、好ましくは、円形、楕円形等、角部を有しない平滑な表面を形成する様な断面形状である。
【００２２】
更に、本発明に於いては、当該芯体部２の外表面が、当該被覆層部３により被覆されている構成を有するものであるが、当該芯体部２の長手方向の大部分は、口腔ケア清掃作業者が当該口腔ケア用清掃器具１を手で持つ為の把持部１０を構成するものであり、係る当該被覆層部３を含む当該把持部１０に於ける当該芯体部２の長手方向と直交する方向に於ける最大外径ｔが４乃至７ｍｍである事が望ましいとすれば、当該芯体部２の直径が２乃至５ｍｍであるとすると、当該被覆層部３の厚みは１乃至２ｍｍである事が望ましい。
本発明に於ける当該被覆層部３は、当該芯体部２の一方の端部４から他方の端部４’若しくは当該端部４’から約２０ｍｍ程度、当該一方の端部４側に戻った位置迄の部位、つまり当該他方の端部４’の近傍部５まで、均一の厚みを持って当該芯体部２の外表面を被覆する様に形成される。
【００２３】
一方、本発明に於ける当該口腔ケア用清掃器具１に於いては、当該芯体部２の当該他方の端部４’の近傍部５の外表面にも、当該合成樹脂材料からなる被覆層部３’が設けられ、当該芯体部２の当該他方の端部４’の近傍部５の外表面の外周面を完全に被覆する構成を採用しているが、当該合成樹脂材料からなる被覆層部３’は、その全体の外径Ｔが当該被覆層部３の外径ｔよりも大きくなるように形成されており、膨出部６を構成している。
更に、当該膨出部６の一部である、当該芯体部２の長手方向にみた最端縁部１２は、当該芯体部２の他方の端部４’よりも当該芯体部２の長手方向にみて、当該他方の端部４’から外方に延展して形成されているものであっても良い。
又、当該膨出部６の外径Ｔは、５乃至２０ｍｍである事が好ましい。
【００２４】
更に、本発明に於ける当該口腔ケア用清掃器具１の当該把持部１０を被覆する被覆層部３と当該膨出部６を構成する被覆層部３’とは一体的に形成されており、当該両者の被覆層部３と３’とが相互の連結部から分離される事が内容に形成されている。
本発明に於ける当該両者の被覆層部３と３’との境界は、図１に示す様に、段差状に形成される段差部９を形成する場合であっても良く、或いは、点線１１に示す様に、テーパー状に形成された構造を有するものであっても良い。
【００２５】
本発明に係る当該口腔ケア用清掃器具１を製造する方法としては、特に限定される方法はないが、例えば、所望の合成樹脂材料を使用して、図１に示す様な、当該被覆層部３と３’が連続して形成され、且つ当該被覆層部３にその長手軸方向に、当該芯体部２を挿入する為の挿入管１４を予め形成した部材を一体成型方式で形成しておき、後工程で、当該挿入管１４内に当該芯体部２を挿入する方法や、図１に示す様な、当該被覆層部３と３’が連続して形成される溝部を有する金型を形成し、当該金型内部の所定の位置に、当該芯体部２を挿入した後、当該金型内に所望の合成樹脂材料を注入して成形加工を完成させる方法、或いは、図１に示す様な、当該被覆層部３と３’が連続して形成された溝部と、当該被覆層部３と３’の一部に当該芯体部２が嵌入される溝部とが形成される様な半割型の金型を一対形成し、当該半割金型内に所望の合成樹脂材料を注入して成形加工した後、当該一対の成形体に当該芯体部２を挿入して、図２（Ｃ）で示される様に半割線１３でその両者を合体させることにより形成する方法を採用しても良い。
更に、本発明に於いては、当該膨出部６は柔軟性で且つ水分を吸収するなり、水分を保持する機能を有する事が望ましいので、当該膨出部６を構成する当該被覆層部３’はスポンジの様な発泡構造を内蔵している事が望ましい。
【００２６】
これに対し、当該把持部１０に設けられる当該被覆層部３は、耐水性並びに適度の表面強度を要求される事から、当該発泡構造を内蔵しない構造にする必要がある。
本発明に於いては、当該被覆層部３と３’を一体的に且つ連続して形成される工程を採用する事が要求されるため、例えば、以下に示す様な方法を採用する事が望ましい。
即ち、第１の具体例としては、上記した金型（半割型の金型を含む）の当該膨出部６を形成する金型室内には、発泡構造を有する合成樹脂材料をそれ専用の供給ルートを介して注入し、その他の金型室内には、発泡構造を有しない合成樹脂材料を別の専用の供給ルートを介して注入して、加熱成形する方法である。
【００２７】
又、第２の具体例としては、当該把持部１０を構成するための金型（半割型の金型を含む）の部分を、当該口腔ケア用清掃器具１の全体の長さに相当する長さに形成し、つまり、図１に示す様な当該膨出部６に相当する部分の合成樹脂を受け入れる様な金型室は形成せずに、略直線状の金型（半割型の金型を含む）を作成し、当該金型内に所定の芯体部２を挿入した後、金型（半割型の金型を含む）全域に、予め適宜の発泡材を内蔵させた適宜の合成樹脂材料を注入して成形加工を行い、当該成型加工後の当該合成樹脂成形体を、適宜の治具を使用して、当該成型体の当該膨出部６に相当する部分のみを加熱処理或いはその他の発泡処理操作を行うことによって、当該膨出部６に相当する部分の合成樹脂材料内に予め内蔵された発泡材を発泡させ、当該部分にスポンジ構造の様な発泡構造を形成させ、必要な柔軟性と含水性並びに吸水、吸湿性を付与する事が可能となる。
【００２８】
係る具体例に於いては、当然のことながら、当該口腔ケア用清掃器具１の当該把持部１０を構成する当該被覆層部３を形成する当該合成樹脂材料内には、同じ発泡材が内蔵されているが、当該発泡材は発泡せずに保持されており、当該被覆層部３の表面は、非発泡状態を維持している。
本発明の於いて使用される当該発泡材は、特に限定されるものではないが、例えば、前記した様な合成樹脂材料内に混在させる事が可能であると同時に、加熱処理により分解されて炭酸ガス或いは窒素ガスを発生させる機能を有するものであっても良く、或いは適宜の溶剤により容易に溶解する機能を有し、適宜の溶剤処理によって、当該発泡剤除去されて空間部が形成される様な機能を有するものであっても良い。
【００２９】
即ち、本発明に係る当該口腔ケア用清掃器具１に於いては、当該膨出部６を構成する当該被覆層部３’は、軟質性の発泡構造を有しており、当該非膨出部を構成する当該被覆層部３は、当該膨出部６を構成する当該被覆層部３’の発泡構造よりも硬質性有する発泡構造を有する合成樹脂材料で構成されているものである。
そして、当該被覆層部３’に於ける当該発泡構造は、多孔性構造を有している事が好ましい。
【００３０】
又、本発明に係る当該口腔ケア用清掃器具１に於ける当該芯体部２の長手方向端部の少なくとも一方の端部４’若しくは当該端部４’の近傍部５に形成されている当該膨出部６の当該芯体部２の長手方向と直交する方向に於ける断面形状は、図２（Ａ）及び図２(Ｂ)に示す様に、その周縁部に複数個の膨出部、や突起状部１５及び溝状部１６等が形成されている断面形状を有する構成とする事が、当該口腔ケア操作を効果的に実行するのに好ましい形状である。
更に、本発明に於ける当該膨出部６には、図２（Ｃ）に示す様に、当該膨出部６の外表面に、当該把持部１０の長手方向と平行に複数本の溝部８を形成したり、或いは当該膨出部６の外表面に、当該把持部１０の長手方向と直交する方向に複数本の溝部７を形成する事も好ましい具体例である。
【符号の説明】
【００３１】
１…口腔ケア用清掃器具
２…芯体部
３、３’…被覆層部
４…第１の端部
４’ …第２の端部
５…近傍部
６…膨出部
７…発泡構造
８…溝部
９…段差部
１０…把持部
１１…テーパー状部
１２…最端縁部
１３…半割接合部
１５…突起部
１６…溝部
１７…溝部
【図１】
2014042626.tif 000003
【図２】
2014042626.tif 000004
【図３】
2014042626.tif 000005